(57)【要約】【課題】携帯情報端末を構える姿勢にならなくても、携帯情報端末が動いている場合には起動することが可能であり、また気圧の変化で表示を変更可能な携帯情報端末および携帯情報端末の制御方法を提供する。【解決手段】低消費電流モードから割り込み信号により解除され動作状態になる携帯情報端末において、モニタ２６と、このモニタの周辺に設けられ、携帯情報端末にかかる大気圧を検出し、気圧信号と気圧の変化で割り込み信号を出力する気圧センサユニット２１５を具備し、気圧センサユニット２１５から割り込み信号を検出後、気圧センサからの気圧信号に基づいて上記モニタにおける画像表示を切り替える。【選択図】  図２
2015228682.tif 000002
【特許請求の範囲】
【請求項１】
低消費電流モードから割り込み信号により解除され動作状態になる携帯情報端末において、
モニタと、
上記モニタの周辺に設けられ、上記携帯情報端末にかかる大気圧を検出し、気圧信号と気圧の変化で割り込み信号を出力する気圧センサと、
上記気圧センサから上記割り込み信号を検出後、上記気圧センサからの気圧信号に基づいて上記モニタにおける画像表示を切り替える制御手段と、
を具備することを特徴とする携帯情報端末。
【請求項２】
上記制御手段は、上記割り込み信号の検出後に、上記気圧センサへの息の吹きかけ又は息の吸い込みに応じた変化を検知した場合に、上記モニタにおける画像表示を切り替えることを特徴とする請求項１に記載の携帯情報端末。
【請求項３】
上記気圧センサは、上記携帯情報端末に所定の高低差が生じたことを検出した場合に、上記割り込み信号を出力することを特徴とする請求項１に記載の携帯情報端末。
【請求項４】
上記携帯情報端末に電源を供給し、上記携帯情報端末を動作状態にさせるための電源スイッチを有し、
上記割り込み信号によって上記携帯情報端末が動作状態になった場合であっても、所定の動作が終了し、かつ上記電源スイッチがオフの場合には、上記低消費電流モードとすることを特徴とする請求項１に記載の携帯情報端末。
【請求項５】
上記気圧センサが配置される上記携帯情報端末の外装部に、該気圧センサに対し人為的に加圧および減圧することを可能とする開口部を有することを特徴とする請求項１に記載の携帯情報端末。
【請求項６】
モニタを有し、低消費電流モードから割り込み信号により解除され動作状態になる携帯情報端末の制御方法において、
上記モニタの周辺に設けられ気圧センサから、上記携帯情報端末にかかる大気圧を検出し、気圧信号と気圧の変化で割り込み信号を出力し、
上記気圧センサから上記割り込み信号を検出後、上記気圧センサからの気圧信号に基づいて上記モニタにおける画像表示を切り替える、
ことを特徴とする携帯情報端末の制御方法。
【請求項７】
低消費電流モードから割り込み信号により解除され動作状態になる携帯情報端末において、
上記携帯情報端末にかかる大気圧を検出し、大気圧に応じた気圧信号を出力する気圧センサと、
上記気圧センサからの上記気圧信号に基づいて、所定の高低差に応じた第１の変化を検知した場合に割り込み信号を出力し、上記第１の変化を検知しない場合であっても上記気圧センサへの息の吹きかけ又は息の吸い込みに応じた第２の変化を検知した場合に上記割り込み信号を出力する割り込み信号出力部と、
上記割り込み信号に応じて、上記携帯情報端末を動作状態にする制御手段と、
を具備することを特徴とする携帯情報端末。
【請求項８】
上記携帯情報端末に電源を供給し、上記携帯情報端末を動作状態にさせるための電源スイッチを有し、
上記第１の変化を検知し上記割り込み信号によって上記携帯情報端末が動作状態になった場合であっても、所定の動作が終了し、かつ上記電源スイッチがオフの場合には、上記低消費電流モードとすることを特徴とする請求項７に記載の携帯情報端末。
【発明の詳細な説明】
【技術分野】
【０００１】
本発明は、気圧の変化を感知して起動可能な携帯情報端末および携帯情報端末の制御方法に関する。
【背景技術】
【０００２】
カメラ等の携帯情報端末は、通常、電池を装填すると、低消費電流モードで動作を開始するが、この状態では、パワースイッチの操作のみ受け付けるだけで、他の操作部材の操作に対しては動作を行うことがない。パワースイッチをオンとすると、消費電流が増加し、電源電池が消耗することを防止するため、撮影者は、撮影直前にパワースイッチをオン状態にすることが多い。
【０００３】
しかし、シャッタチャンスは突然、現われることも多い。そこで、カメラの動作に応じて、パワーオフ状態からパワーオン状態に切換えることのできるカメラが種々提案されている。例えば、特許文献１には、加速度センサからの検知出力に基づいて、カメラを構えた姿勢を判定し、起動状態にするカメラが開示されている。
【先行技術文献】
【特許文献】
【０００４】
【特許文献１】特開２０１０−１７１８９２号公報
【発明の概要】
【発明が解決しようとする課題】
【０００５】
このように、カメラの動きを検知して、パワーオフ状態からパワーオン状態に切換え、カメラを起動にするカメラは種々、提案されている。しかし、特許文献１に記載のカメラは、カメラを構える姿勢をしないとカメラを起動しない。
【０００６】
本発明は、このような事情を鑑みてなされたものであり、携帯情報端末を構える姿勢にならなくても、携帯情報端末が動いている場合には起動することが可能であり、また気圧の変化で表示を変更可能な携帯情報端末および携帯情報端末の制御方法を提供することを目的とする。
【課題を解決するための手段】
【０００７】
上記目的を達成するため第１の発明に係わる携帯情報端末は、低消費電流モードから割り込み信号により解除され動作状態になる携帯情報端末において、モニタと、上記モニタの周辺に設けられ、上記携帯情報端末にかかる大気圧を検出し、気圧信号と気圧の変化で割り込み信号を出力する気圧センサと、上記気圧センサから上記割り込み信号を検出後、上記気圧センサからの気圧信号に基づいて上記モニタにおける画像表示を切り替える制御手段と、を具備する。
【０００８】
第２の発明に係わる携帯情報端末は、上記第１の発明において、上記制御手段は、上記割り込み信号の検出後に、上記気圧センサへの息の吹きかけ又は息の吸い込みに応じた変化を検知した場合に、上記モニタにおける画像表示を切り替える。
【０００９】
第３の発明に係わる携帯情報端末は、上記第１の発明において、上記気圧センサは、上記携帯情報端末に所定の高低差が生じたことを検出した場合に、上記割り込み信号を出力する。
【００１０】
第４の発明に係わる携帯情報端末は、上記第１の発明において、上記携帯情報端末に電源を供給し、上記携帯情報端末を動作状態にさせるための電源スイッチを有し、上記割り込み信号によって上記携帯情報端末が動作状態になった場合であっても、所定の動作が終了し、かつ上記電源スイッチがオフの場合には、上記低消費電流モードとする。
【００１１】
第５の発明に係わる携帯情報端末は、上記第１の発明において、上記気圧センサが配置される上記携帯情報端末の外装部に、該気圧センサに対し人為的に加圧および減圧することを可能とする開口部を有する。
【００１２】
第６の発明に係わる携帯情報端末の制御方法は、モニタを有し、低消費電流モードから割り込み信号により解除され動作状態になる携帯情報端末の制御方法において、上記モニタの周辺に設けられ気圧センサから、上記携帯情報端末にかかる大気圧を検出し、気圧信号と気圧の変化で割り込み信号を出力し、上記気圧センサから上記割り込み信号を検出後、上記気圧センサからの気圧信号に基づいて上記モニタにおける画像表示を切り替える。
【００１３】
第７の発明に係わる携帯情報端末は、低消費電流モードから割り込み信号により解除され動作状態になる携帯情報端末において、上記携帯情報端末にかかる大気圧を検出し、大気圧に応じた気圧信号を出力する気圧センサと、上記気圧センサからの上記気圧信号に基づいて、所定の高低差に応じた第１の変化を検知した場合に割り込み信号を出力し、上記第１の変化を検知しない場合であっても上記気圧センサへの息の吹きかけ又は息の吸い込みに応じた第２の変化を検知した場合に上記割り込み信号を出力する割り込み信号出力部と、上記割り込み信号に応じて、上記携帯情報端末を動作状態にする制御手段と、を具備する。
【００１４】
第８の発明に係わる携帯情報端末は、上記第７の発明において、上記第１の変化を検知し上記割り込み信号によって上記携帯情報端末が動作状態になった場合であっても、所定の動作が終了し、かつ上記電源スイッチがオフの場合には、上記低消費電流モードとする。
【発明の効果】
【００１５】
本発明によれば、携帯情報端末を構える姿勢にならなくても、携帯情報端末が動いている場合には起動することが可能であり、また気圧の変化で表示を変更可能な携帯情報端末および携帯情報端末の制御方法を提供することができる。
【図面の簡単な説明】
【００１６】
【図１】本発明の第１実施形態に係わるカメラについて、背面側からみた外観斜視図である。
【図２】本発明の第１実施形態におけるカメラの電気系を主とする全体構成を示すブロック図である。
【図３】本発明の第１実施形態に係わるカメラの気圧センサユニット周辺の回路を示すブロック図である。
【図４】本発明の第１実施形態に係わるカメラのメインフローを示すフローチャートである。
【図５】本発明の第１実施形態に係わるカメラの撮影動作を示すフローチャートである。
【図６】本発明の第１実施形態に係わるカメラにおいて、気圧変化フラグの設定について説明する図である。
【図７】本発明の第１実施形態に係わるカメラにおいて、気圧変化フラグの設定の変形例について説明する図である。
【図８】本発明の第２実施形態に係わるカメラの気圧センサユニット周辺の回路を示すブロック図である。
【図９】本発明の第２実施形態に係わるカメラのメインフローを示すフローチャートである。
【図１０】本発明の第２実施形態に係わるカメラにおいて、気圧センサの検知信号と割り込み信号の関係を示すタイミングチャートである。
【図１１】本発明の第１、第２実施形態に係わるカメラにおいて、気圧センサユニット用の開口部の変形例を示す、外観斜視図である。
【発明を実施するための形態】
【００１７】
以下、図面に従って本発明を適用したカメラを用いて好ましい一実施形態について説明する。本発明の好ましい一実施形態に係わるカメラは、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。また、本実施形態に係わるカメラは周囲の気圧を検知するための気圧センサユニットを有しており、この気圧センサユニットの検知出力に応じて、カメラの起動を行うことができる。
【００１８】
図１は、本発明の第１実施形態に係わるカメラについて背面側から見た外観斜視図である。本実施例に係わるカメラは、交換レンズ１００とカメラ本体２００から構成されており、両者はマウントによって結合可能である。
【００１９】
カメラ本体２００の上面には、撮影を指示するためのレリーズ釦１１が配置されている。このレリーズ釦１１には、半押しするとオンする１ｓｔレリーズスイッチと、さらに押し込み全押しするとオンする２ｎｄレリーズスイッチが設けられている。
【００２０】
レリーズ釦１１の右側にはパワースイッチ２５７が配置されている。パワースイッチがオン状態となると、カメラ全体に電源が供給され、動作を開始する。一方、パワースイッチがオフ状態では、カメラは低消費電流モード（スリープモードともいう）で動作する。このときは、後述するＣＰＵ２２９（図２参照）は低消費電流で駆動され、パワースイッチ２５７以外の操作部材はいずれも動作を検出しない。また、低消費電流モードでは、後述する気圧センサユニット２１５、スイッチ検知回路２５３等（図２参照）の回路以外には電源は供給されない。
【００２１】
カメラ本体２００の背面には、背面液晶モニタ２６と、十字釦１３、決定釦１５等が配置されている。液晶背面モニタ２６は、詳しくは後述するが、ライブビュー表示、記録済みの撮影画像の再生表示、メニュー画面の表示等、種々の画像・画面が表示される。十字釦１３は、左右前後にカーソル等を移動させるための操作部材である。決定釦１５は、十字釦１３等によって選択された項目を決定するための操作部材である。
【００２２】
カメラ本体２００の上面のパワースイッチ２５７の近傍には、開口部２１が配置されている。この開口部２１は、多数の孔から構成され、開口部２１の奥には、気圧センサユニット２１５が配置されている。気圧センサユニット２１５は、開口部２１を介して、大気圧を検出することができる。また、カメラ本体２００の十字釦１３の上側にも開口部２２、２３が配置されており、また背面液晶モニタ２６の周辺にも開口部２４が設けられている。
【００２３】
開口部２１〜２４の奥には、気圧センサユニット２１５が配置されており、大気圧を検出することができる。また、開口部２２、２３は、カメラを構えた際に、撮影者が息を吹き込み易い位置にある。従って、気圧センサユニット２１５によって、撮影者が息を吹き込んだか否かも検出できる。本実施形態においては、４か所の開口部２１〜２４が設けてあるが、これらの内の１つ若しくは複数の開口部だけでよい。
【００２４】
図２は、本発明の第１実施形態に係るカメラの電気系を主とする全体構成を示すブロック図である。本実施形態に係わるカメラは、前述したように、交換レンズ１００とカメラ本体２００が別体で構成され、交換レンズ１００はカメラ本体２００の前面のマウント開口部（不図示）に着脱自在となっている。
【００２５】
交換レンズ１００内の撮影レンズ１０１ａ、１０１ｂ（撮影レンズ１０１ａ、１０１ｂを撮影光学系１０１と総称する）によって形成される被写体光束が、マウント開口部を介してカメラ本体１００内に導かれる。交換レンズ１００をカメラ本体２００に装着すると、通信接点３００にて電気的に接続される。また、カメラ本体２００内であって、マウント開口部の近傍には、着脱検知スイッチ２５９が設けられており、交換レンズ１００とカメラ本体２００の装着状態を検知することができる。
【００２６】
交換レンズ１００の内部には、焦点調節および焦点距離調節用の撮影光学系１０１と、開口量を調節するための絞り１０３が配置されている。撮影光学系は光学系駆動機構１０７によって駆動され、絞り１０３は絞り駆動機構１０９によって駆動される。光学駆動機構１０７によって駆動される撮影光学系１０１の位置は、光学位置検出機構１０５によって検出され、撮影光学系１０１の焦点調節レンズ位置（ピント位置）や焦点距離（ズーム位置）を検出することができる。また、交換レンズ１００の周囲には、回動自在な距離環１１２が設けられており、この距離環１１２の回動方向（操作方向）および回動量（操作量）はエンコーダ１１０によって検出される。
【００２７】
光学位置検出機構１０５、光学系駆動機構１０７、絞り駆動機構１０９、およびエンコーダ１１０は、それぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。
【００２８】
また、レンズＣＰＵ１１１は、光学位置検出機構１０５によって検出された、焦点調節レンズ位置（ピント位置）や焦点距離に関するレンズ情報をカメラ本体２００に送信する。また、レンズＣＰＵ１１１内または図示しない交換レンズ１００内の電気的書き換え可能な不揮発性メモリには、交換レンズ１００の焦点距離情報、開放絞り値、最小絞り値、撮影可能距離範囲（最至近距離を含む）、レンズの種類等のレンズ情報が記憶されている。また、絞りの絞り状態（開放絞り状態か絞り込状態か）、距離環１１２の操作状態（操作方向、操作量）等の交換レンズ１００の状態に関する情報もレンズ情報である。これらのレンズ情報は、レンズＣＰＵ１１１より通信接点３００を介してカメラ本体２００に送信される。
【００２９】
さらに、レンズＣＰＵ１１１は、絞り駆動機構１０９による絞り１０３の絞り込み完了や絞り開放完了、光学系駆動機構１０７によるレンズ駆動完了の情報も、カメラ本体２００に送信する。
【００３０】
カメラ本体２００内であって、撮影光学系１０１の光軸上であって、撮影光路上には、露光時間制御および撮像素子２２１の遮光用のフォーカルプレーンタイプのシャッタ２０３が配置されている。このシャッタ２０３は、シャッタ駆動機構２１３によって駆動制御される。
【００３１】
シャッタ２０３の後方には、撮像素子ユニット２９０が配置されている。撮像素子ユニット２９０は、防塵フィルタ２０５、赤外カットフィルタ２０９、光学的ローパスフィルタ２１０、撮像素子２２１を一体に構成したユニットであり、密封されたパッケージに一体に収納されており、塵埃がパッケージ内に侵入しないように構成されている。そして、撮像素子ユニット２９０は、ブレ補正機構２６０によって撮影光学系１０１の光軸と垂直なＸＹ平面内で２次元的に変位される。
【００３２】
ブレ補正機構２６０は、駆動源として圧電素子駆動モータ等からなるアクチュエータを備えており、撮像素子ユニット２９０を撮影光学系１０１の光軸と垂直なＸＹ平面内で２次元的に変位する。カメラ本体２００内には、ジャイロを利用した角速度センサ２９７ａが配置されており、角速度センサ２９７ａの出力は角速度検出回路２９７ｂに接続されている。角速度センサ２９７ａは、カメラ本体２００に生じたブレに応じたブレ信号を出力し、角度側検出回路２９７ｂはブレ信号を増幅し、ＡＤ変換する。
【００３３】
角速度センサ２９７ａと角速度検出回路２９７ｂによってブレ検出手段２９７が構成され、角速度検出回路２９７ｂの出力は、シーケンスコントローラ（以下、「ボディＣＰＵ」と称する）２２９に接続されている。ボディＣＰＵ２２９は、ブレ検出手段２９７によって検出されたブレ信号に基づいて、カメラ本体２００のブレを打ち消すようなブレ制御信号を出力し、アクチュエータ駆動回路２９６はブレ補正駆動機構２６０内のアクチュエータに対して駆動信号を出力する。これによって、撮像素子２２１を撮影光学系１０１の光軸と垂直な方向に移動させ、カメラ本体２００に加えられたブレを打ち消し、画像の劣化を防止する撮像素子シフト方式の手振れ補正動作を実行する。
【００３４】
シャッタ２０３の後方には、撮像素子ユニット２９０を構成する防塵フィルタ２０５が配置されている。防塵フィルタ２０５は、カメラ本体２００のマウント開口部や本体内部で発生した塵埃が撮像素子２２１や光学素子に付着し、塵埃の影が被写体像に写し込まれ、見苦しい画像となることを防止する。
【００３５】
防塵フィルタ２０５の周縁部の全周または一部に、圧電素子２０７が固着されている。圧電素子２０７は防塵フィルタ駆動回路２１１に接続されている。圧電素子２０７は、防塵フィルタ駆動回路２１１の駆動信号に基づいて、防塵フィルタ２０５を所定周波数の超音波で振動させる。防塵フィルタ２０５が超音波で振動することにより、防塵フィルタ２０５の前面に付着した塵埃は除去される。
【００３６】
防塵フィルタ２０５の後方には、被写体光束から赤外光成分をカットするための赤外カットフィルタ２０９が配置され、その後方には被写体光束から高周波成分を取り除くための光学的ローパスフィルタ２１０が配置されている。そして、光学的ローパスフィルタ２１０の後方には、撮像素子２２１が配置されており、撮影光学系１０１によって結像された被写体像をアナログ画像信号に光電変換する。本実施形態においては、撮像素子２１１としては、ＣＣＤ（Charge Coupled Device）やＣＭＯＳ（Complementary Metal Oxide Semiconductor）等の二次元固体撮像素子を使用できることはいうまでもない。
【００３７】
撮像素子２２１は撮像素子駆動回路２２３に接続され、撮像素子駆動回路２２３は入出力回路２３９からの制御信号によって駆動制御される。撮像素子駆動回路２２３は、撮像素子２２１からアナログ画像信号を読み出し、この信号を増幅し、アナログデジタル変換（ＡＤ変換）等を行う。撮像素子駆動回路２２３の出力は、前処理回路２２５に接続されており、前処理回路２２５は、ライブビュー表示のための画素間間引処理等、種々の前処理を行う。
【００３８】
前処理回路２２５の出力は、コントラストＡＦ回路２２６に接続され、コントラストＡＦ回路２２６は前処理回路２２５から出力される画像信号の高周波成分（コントラスト信号）の抽出を行う。コントラスト信号を抽出する画像の範囲は、シーケンスコントローラより指示を受け、ＡＦターゲット、撮影画面全体、または拡大表示領域等の領域について抽出を行う。抽出したコントラスト信号はボディＣＰＵ２２９に出力する。
【００３９】
前処理回路２２５の出力はＡＳＩＣ（Application Specific Integrated Circuit  特定用途向け集積回路）２６２内のデータバス２６１に接続される。このデータバス２６１には、画像処理回路２２７、ボディＣＰＵ２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検知回路２５３が接続されている。なお、前述のコントラストＡＦ回路２２６は、本実施形態においては、ＡＳＩＣ２６２の外側に配置したが、ＡＳＩＣ２６２内に配置するようにしても勿論かまわない。
【００４０】
データバス２６１に接続された画像処理回路２２７は、前処理回路２２５から出力されたデジタル画像データのデジタル的増幅（デジタルゲイン調整処理）、色補正、ガンマ（γ）補正、コントラスト補正、白黒・カラーモード処理、ライブビュー表示用処理といった各種の画像処理を行う。
【００４１】
データバス２６１に接続されているボディＣＰＵ２２９は、フラッシュメモリ２４９に記憶されているプログラムに従って、このデジタルカメラの動作を制御する。また、ボディＣＰＵ２２９は、前述したように、コントラストＡＦ回路２２６からコントラスト信号を入力し、レンズＣＰＵ１１１を介して撮影光学系１０１からなる撮影光学系の自動焦点調節の制御を行う。
【００４２】
また、データバス２６１に接続されている圧縮伸張回路２３１は、ＳＤＲＡＭ２３８に記憶された画像データをＪＰＥＧやＴＩＦＦで圧縮する。なお、画像圧縮はＪＰＥＧやＴＩＦＦに限らず、他の圧縮方法も適用できる。
【００４３】
データバス２６１に接続されているビデオ信号出力回路２３３は、液晶モニタ駆動回路２３５を介して背面液晶モニタ２６とファインダ内液晶モニタ（図中Ｆ内液晶モニタと略記）２９に接続される。ビデオ信号出力回路２３３は、ＳＤＲＡＭ２３８または記録媒体２４５に記憶された画像データを、背面液晶モニタ２６および／またはファインダ内液晶モニタ２９に表示するためのビデオ信号に変換する。
【００４４】
背面液晶モニタ２６は、図１に示したように、カメラ本体２００の背面に配置されるが、撮影者が観察できる位置であれば、背面に限らないし、また液晶モニタに限らず有機ＥＬ等、他の表示装置でも構わない。ファインダ内液晶モニタ２９は、ファインダ接眼部を介して撮影者によって観察できる位置に配置されており、背面液晶モニタ２６と同様、液晶に限らず他の表示装置でも構わない。なお、被写体像の観察用として液晶モニタ２６のみとし、ファインダ接眼部およびファインダ内液晶２９を省略することも可能である。
【００４５】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００４６】
入出力回路２３９は、上述の防塵フィルタ駆動回路２１１、シャッタ駆動機構２１３、撮像素子駆動回路２２３に接続され、データバス２６１を介してボディＣＰＵ２２９等の各回路とデータの入出力を制御する。通信回路２４１は、通信接点３００を介してレンズＣＰＵ１１１と接続され、またデータバス２６１とも接続されている。通信回路２４１は、レンズＣＰＵ１１１とボディＣＰＵ等の間のデータのやりとりや制御命令の通信を行う。また、気圧センサユニット２１５にも接続され、シリアル通信を行う。
【００４７】
通信回路２４に接続された気圧センサユニット２１５は、前述した開口部２１〜２４の奥に配置されている。気圧センサユニット２１５は、大気圧に応じた気圧信号をシリアル通信によって通信回路２３９に送信し、また通信回路２３９を介して、高さに応じたスレッシュ値（復帰条件）に関する情報がシリアル通信によって送信される。また、気圧センサユニット２１５は、スイッチ検知回路２５３にも接続されており、前述のスレッシュ値に応じた気圧が変化すると、割り込み信号を出力する。この気圧センサユニット２１５の詳しい回路については、図３を用いて後述する。
【００４８】
データバス２６１に接続された記録媒体制御回路２４３は、記憶媒体２４５に接続され、記録媒体２４５への画像データ等の記録と再生の制御を行う。記録媒体２４５は、コンパクトフラッシュ（登録商標）、ＳＤメモリカード（登録商標）、またはメモリスティック（登録商標）等の書き換え可能な記録媒体のいずれかが装填可能となるように構成され、カメラ本体２００に対して着脱自在となっている。その他、マイクロドライブ（登録商標）などのハードディスクユニットや無線通信ユニットを接続可能に構成してもよい。
【００４９】
データバス２６１に接続されているフラッシュメモリ制御回路２４７は、フラッシュメモリ（Flash Memory）２４９に接続され、このフラッシュメモリ２４９は、電気的に書き換え可能な不揮発性メモリであり、カメラの動作を制御するためのプログラムや、制御用の調整値等を記憶する。ボディＣＰＵ２２９は、フラッシュメモリ２４９に記憶されたプログラムや調整値等に従ってデジタルカメラの制御を行う。
【００５０】
データバス２６１に接続されているスイッチ検知回路２５３は、パワースイッチ２５７、その他の各種スイッチ２５５、前述の着脱検知スイッチ２５９、および気圧センサユニット２１に接続する。パワースイッチ２５７は、カメラ本体２００の上面に配置されており（図１参照）、カメラ本体２００や交換レンズ１００のパワー供給を制御するためのパワースイッチレバーに連動してオン・オフする。
【００５１】
その他の各種スイッチ２５５は、レリーズ釦１１に連動するスイッチ、再生モードを指示する再生釦に連動するスイッチ、背面液晶モニタ２６の画面上に表示されるカーソルの動きの指示等を行うための十字釦１３に連動するスイッチ、選択された各モード等を決定する決定釦１５に連動するスイッチ撮影モードを指示するモードダイヤルに連動するスイッチ等がある。
【００５２】
なお、レリーズ釦１１は、前述したように、撮影者が半押しするとオンする第１レリーズスイッチと、全押しするとオンする第２レリーズスイッチを有している。第１レリーズスイッチ（以下、１Ｒと称する）のオンにより、カメラは焦点検出、撮影レンズのピント合わせ、被写体輝度の測光等の撮影準備動作を行い、第２レリーズスイッチ（以下、２Ｒと称する）のオンにより、撮像素子２２１の出力に基づいて、被写体像の画像データの取り込みを行う撮影動作を実行する。
【００５３】
次に、気圧センサユニット２１５について、図３を用いて説明する。気圧センサユニット内には、圧力検知部２１５ａとシリアル通信制御部２１５ｂが設けられている。圧力検知部２１５ａは、ＭＥＭＳや水晶を用いて圧力に応じた信号を検知し、また割り込み信号を出力する。シリアル通信制御部２１５ｂは、通信回路２４１内のシリアル通信制御部２４１ａとシリアル通信を行う。
【００５４】
シリアル通信によって、気圧センサユニット２１５は、ＡＳＩＣ２６２内のＣＰＵ２２９に対して、圧力検知部２１５ａによって検知された現状の高さに関する情報を送信する。大気圧は絶対的な高さ情報ではないが、相対的な高さ情報であり、大気圧の変化が無視できる場合には、高さの変化情報となる。
【００５５】
また、本実施形態においては、カメラ本体２００に予め決められた高さの変化があった場合には、圧力検知部２１５ａからスイッチ検知回路２５３内の起動監視部２５３ａに割り込み信号を出力し、カメラを起動させ、パワーオン状態にする。そこで、ＣＰＵ２２９は、予め決められた高さに相当する気圧変化に関する情報を、通信回路２４１内のシリアル通信制御部２４１ａを介して、気圧センサユニット２１５に送信する。
【００５６】
次に、本実施形態における動作について、図４および図５に示すフローチャートを用いて説明する。これらのフローチャートは、ＣＰＵ２２９がフラッシュメモリ２４９に記憶されているプログラムに従って実行する。図４は、カメラ本体２００側のボディＣＰＵ２２９によるパワーオンリセット後の動作を示すメインフローである。
【００５７】
カメラ本体２００にバッテリが装填され、または外部電源が接続されると、このフローがスタートする。まずカメラ本体２００のパワースイッチ２５７がオンであるか否かを判定する（Ｓ１）。判定の結果、パワースイッチ２５７がオフの場合には、気圧データの記憶を行う（Ｓ３）。ここでは、気圧センサユニット２１５内の圧力検知部２１５ａによって大気圧を検知し、この気圧信号に基づく気圧データをシリアル通信によってＣＰＵ２２９に送り、フラッシュメモリ２４７に気圧データを記憶する。
【００５８】
気圧データを記憶すると、次に、復帰条件の設定を行う（Ｓ５）。復帰条件の設定を行うとスリープ状態に入るが、このステップでは、復帰条件はスリープ状態からパワーオン状態に復帰するための条件を設定する。復帰条件としては、カメラ本体２００の位置に所定の高低差があった場合とする。所定の高低差としては、１０ｃｍから１００ｃｍの間とするが、本実施形態においては３０ｃｍとする。ＣＰＵ２２９は、ステップＳ３において記憶した気圧データに基づいて、所定の高低差に相当する気圧差を演算し、この演算された気圧差を、通信回路２４３を介して気圧センサユニット２１５に送信する。気圧センサユニット２１５は気圧差を、復帰条件として設定する。
【００５９】
ステップＳ５において復帰条件の設定を行うと、低消費電力の状態であるスリープモードに入る（Ｓ１１）。スリープモードでは、前述したように、ＣＰＵ２２９は低消費電流で駆動され、パワースイッチ２５７以外の操作部材はいずれも動作を検出しない。また、スリープモードでは、気圧センサユニット２１５、スイッチ検知回路２５３等の回路以外には電源は供給されない。
【００６０】
スリープモードは、パワースイッチ２５７がオフからオンとされると解除される。または、カメラに所定の高低差が生ずると解除される。すなわち、ステップＳ５において設定された気圧差が生ずると、気圧センサユニット２１５が、スイッチ検知回路２５３の起動監視部２５３ａに割り込み信号を出力し、スリープ状態を脱し、パワーオン状態となる。なお、気圧差によって所定の高低差以上、高くなった場合、または低くなった場合を検知するが、いずれか一方（高くなった場合のみか、低くなった場合のみ）でもかまわない。
【００６１】
ステップＳ１における判定の結果、パワースイッチ２５７がオンであった場合、または割り込み信号によってステップＳ１１におけるスリープモードを脱した場合には、電源供給を開始する（Ｓ１３）。これにより、カメラ本体２００および交換レンズ１００内の各機構や各回路等に電源が供給される。
【００６２】
電供供給が開始されると、次に、気圧データの読み込みを行う（Ｓ１５）。ここでは、気圧センサユニット２１５内の圧力検知部２１５ａによって気圧信号を検知し、気圧データをシリアル通信によってＣＰＵ２２９に送信する。
【００６３】
気圧データの読み込みを行うと、次に、前回と今回の気圧に所定の差があるか否かを判定する（Ｓ１７）。ここでは、所定の気圧差を判定値として、前回と今回の気圧の差を判定する。すなわち、ステップＳ３において記憶した気圧データと、ステップＳ１５において読み込んだ気圧データの差が３０ｃｍに相当する気圧差（判定値）であるか否かを判定する。なお、この判定値は、ステップＳ５における復帰条件と異なる気圧差としても構わない。
【００６４】
ステップＳ１７における判定の結果、前回に対して所定の気圧差が無い場合には、気圧変化フラグを０にリセットする（Ｓ１９）。一方、判定の結果、所定の気圧差が有る場合には、気圧変化フラグに１をセットする（Ｓ２１）。この気圧変化フラグが１にセットされている場合には、カメラ本体２００に所定の高低差が生じた際に、レリーズ釦が半押しされた場合と同様に、撮影動作に入らせるためのフラグであり、後述するステップＳ４３において判定される。
【００６５】
ステップＳ１９またはＳ２１において気圧変化フラグの設定を行うと、次に、前回との気圧差が大であるか否かの判定を行う（Ｓ２２）。ここでは、前回の気圧に比較し急激に気圧が変化しているか否かを気圧差に基づいて判定する。これは、後述するステップＳ５１において、撮影者がカメラに対して息を吹きかけた場合に、パワースイッチがオフでも動作を続けるために「息吹きかけ有りフラグ」を判定するためである。ステップＳ２２における判定値としては、例えば、前回との気圧差が１００〜５００Ｐａとし、この気圧差以上であれば、撮影者が息吹きかけにより動作開始させたと判断する。ステップＳ２２における判定の結果、前回との気圧差が大であった場合には、息吹きかけ有りフラグに１を設定する（Ｓ２３）。
【００６６】
ステップＳ２３において、息吹きかけ有りフラグに１をセットすると、またはステップＳ２２における判定の結果、前回と気圧差が大でなかった場合には、次に、レンズ情報の取得を行う（Ｓ２４）。このステップでは、レンズＣＰＵ１１１から通信回路２４１を介して、光学位置検出機構１０５によって検出した撮影光学系１０１の焦点位置情報や焦点距離情報を取得し、また、至近側焦点距離・長焦点側焦点距離、開放絞り値、焦点距離毎の露出補正値等の種々の交換レンズ１００の固有情報等のレンズ情報を取得する。
【００６７】
レンズ情報を取得すると、次に動作モードやパラメータ設定を行う（Ｓ２５）。このステップでは、モードダイヤル等によって設定された撮影モードや、ＩＳＯ感度、マニュアル設定されたシャッタ速度や絞り値等の情報があればそれらの撮影条件の読み込みを行う。
【００６８】
続いて、ライブビュー動作を開始する（Ｓ２７）。ここでは、撮像素子２２１からの画像信号に基づいて、被写体像の観察用に、背面液晶モニタ２６に被写体像を動画表示する。ライブビュー動作を開始すると、次に、測光・露光量の演算を行う（Ｓ２９）。このステップでは、撮像素子２２１の出力に基づいて被写体輝度を求め、この被写体輝度を用いて撮影モード・撮影条件に従って適正露光となるシャッタ速度や絞り値等の露光制御値の演算を行う。
【００６９】
測光・露光量の演算を行うと、次に、ライブビュー動作を行う（Ｓ３１）。後述するように、ステップＳ４９において、パワースイッチがオンであった場合には、ステップＳ２９に戻り、この処理ループ中において、このステップＳ２９にて撮像素子２２１の撮像動作・画像処理を行った後に背面液晶モニタ２６の表示が更新されて動画表示によりライブビュー表示を行う。ライブビュー表示中に、気圧センサユニット２１５に向かって息を吹きかけたり、口を当てて息を吸い込むことより交換レンズ１００の焦点距離を望遠側に駆動したり、広角側に駆動したり、また電子ズーム機能の有る場合には、画角を変更することが可能である。
【００７０】
ライブビュー動作を行うと、次に、再生スイッチがオンか否かの判定を行う（Ｓ３３）。ここでは、再生釦に連動する再生スイッチがオンか否かの判定を行う。この判定の結果、再生スイッチがオンであった場合には、再生動作を行う（Ｓ３５）。この再生動作は、記録媒体２４５に記録されている撮影画像を背面液晶モニタ２６に再生表示する。再生表示中に気圧センサユニット２１５に向かって息を吹きかけたり、口を当てて息を吸い込むことで、再生画像を拡大表示、縮小表示、インデックス表示等に切換えることが可能である。
【００７１】
再生動作を行うと、またはステップＳ３３における判定の結果、再生スイッチがオンでなかった場合には、次に、メニュースイッチがオンか否かの判定を行う（Ｓ３７）。ここでは、メニュー釦１３に連動するメニュースイッチがオンか否かの判定を行う。
【００７２】
ステップＳ３７における判定の結果、メニュースイッチがオンであった場合には、メニュー設定動作を行う（Ｓ３９）。このメニュー設定動作では、背面液晶モニタ２６にメニュー画面が表示され、十字釦１３や決定釦１５を操作することにより、撮影者が種々のモードやパラメータの設定を行う。メニュー設定されたモードを実行する。たとえば、防振モードが設定された場合には、ライブビュー動作中、及び撮影動作時に防振動作が実行される。メニュー画面の表示中に、気圧センサユニット２１５に向かって息を吹きかけたり、吸い込むことで、パラメータの増減設定を行うことが可能である。
【００７３】
メニュー設定動作を行うと、またはステップＳ４１における判定の結果、メニュースイッチがオンでなかった場合には、次に、１Ｒスイッチがオンか否かの判定を行う（Ｓ４１）。ここでは、レリーズ釦の半押し動作でオンとなる１Ｒスイッチがオンとなかったか否かの判定を行う。
【００７４】
ステップＳ４１における判定の結果、１Ｒスイッチがオンでなかった場合には、次に、気圧センサフラグが１か０かの判定を行う（Ｓ４３）。ここでは、ステップＳ１９またはＳ２１においてセットまたはリセットされた気圧変化フラグに基づいて判定する。
【００７５】
ステップＳ４１における判定の結果、１Ｒスイッチがオンであった場合、またはステップＳ４３における判定の結果、気圧センサフラグが１であった場合には、次に、撮影動作を行う（Ｓ４５）。ここでは、ＡＦモードの場合にはコントラストＡＦによって撮影光学系１０１のピント合わせを行い、測光・露出演算により適正露光となる露出制御値の演算を行う。また、レリーズ釦の全押し動作でオンとなる２Ｒスイッチがオンとなると、露出動作を行い、静止画の画像データを記録媒体２４５に記録する。この撮影動作の詳しいフローについては、図５を用いて後述する。
【００７６】
撮影動作を実行すると、次に、息吹きかけ有りフラグを０にリセットする（Ｓ４６）。息吹きかけにより電源起動を行うのは、撮影を迅速行うためである。しかし、ステップＳ４５において撮影が終了したことから、息吹きかけによって撮影を開始させる必要性がなくなるので、息吹きかけ有りフラグのリセットを行うようにしている。
【００７７】
息吹きかけ有りフラグを０にリセットすると、またはステップＳ４３における判定の結果、気圧センサフラグが０であった場合には、次に、レンズ取り外しか否かの判定を行う（Ｓ４７）。ここでは、着脱検知スイッチ２５９によって交換レンズ１００がカメラ本体２００から取り外されたか否かを判定する。この判定の結果、交換レンズ１００が取り外されていた場合には、ライブビュー動作の停止を行い（Ｓ５７）、電源供給の停止を行う（Ｓ５９）。交換レンズ１００が取り外され、撮像素子２２１上に被写体像が形成されないことから、ライブビュー表示を停止し、電源浪費を防止するために電源供給を停止する。
【００７８】
続いて、交換レンズ１００が装着されたか否かの判定を行う（Ｓ６１）。ここでは、取り外された交換レンズ１００が再び装着されたか否かの判定を行う。なお、この判定は着脱検知スイッチ２５９のオンによって割り込み処理によって検知される。この判定によって、レンズ装着が検知されると、ステップＳ１３に戻り、前述の動作を実行する。
【００７９】
ステップＳ４７における判定の結果、レンズが取り外されていなかった場合には、次に、パワースイッチ２５７がオンか否かの判定を行う（Ｓ４９）。本実施形態においては、パワースイッチ２５７がオンとなると、パワーオンモードとなり、カメラは動作状態となる。その後、パワースイッチ２５７がオフとなると、パワーオフモードとなり、カメラは不作動状態となる。
【００８０】
ステップＳ４９における判定の結果、パワースイッチ２５７がオンであった場合には、パワーオンモードであることから、ステップＳ２９に戻り、前述の動作を実行する。すなわち、電源がオンの状態では、ステップＳ２９〜Ｓ４９を繰り返し実行する。
【００８１】
一方、ステップＳ４９における判定の結果、パワースイッチ２５７がオンでなかった場合、すなわちパワースイッチ２５７がオフの場合には、次に、息吹きかけが有りか否かを判定する（Ｓ５１）。ここでは、ステップＳ２２において気圧センサユニット２１５で検知された気圧データの時間変化に基づいて、撮影者が開口部２１〜２４のいずれかに向かって息を吹きかけていた場合には、ステップＳ２３において息吹きかけ有りフラグに１がセットされていることから、この息吹きかけ有りフラグに基づいて判定する。
【００８２】
ステップＳ５１における判定の結果、息吹きかけが有りフラグが１であった場合には、気圧変化フラグに１をセットする（Ｓ５５）。このフラグをセットすると、ステップＳ２９に戻り、ステップＳ４３における判定を経て、ステップＳ４５において撮影動作に入る。すなわち、気圧センサユニット２１５に向かって撮影者が息を吹きかけることにより、パワースイッチ２５７をオンしたことと同等の効果がある。このため、撮影者が手で上手くパワースイッチ２５７をオンできないような場合には、効果がある。
【００８３】
一方、ステップＳ５１における判定の結果、息吹きかけ有りフラグが０であった場合には、パワーオフモードとなり、電源供給を停止する（Ｓ５３）。電源供給を停止すると、ステップＳ３に戻り、前述のスリープ状態となる。なお、ステップＳ５３、Ｓ５９における電源供給停止は、スリープモードに入るための電源供給停止であり、パワースイッチ２５７、着脱検知スイッチ２５９の検知等、またステップＳ３、Ｓ５の処理等、必要箇所には電源が供給されている。
【００８４】
次に、ステップＳ５５における撮影動作について、図５に示すフローチャートを用いて説明する。撮影動作のフローに入ると、まず、ＡＦモードか否かを判定する（Ｓ７１）。メニュー画面においてＡＦモードを設定することから、ここでは、メニュー画面におけるモード設定に基づいて判定する。
【００８５】
ステップＳ７１における判定の結果、ＡＦモードであった場合は、コントラストＡＦを実行する（Ｓ７３）。ここでは、コントラストＡＦ回路２２６によって抽出されたコントラスト信号に基づいて、撮影光学系１０１の駆動方向を決め、この方向に駆動しながらコントラストのピーク位置を探し、検出されたピーク位置を撮影光学系１０１の合焦点として停止する。なお、ＭＦモードが設定されている場合には、距離環１１２の操作に応じて、レンズＣＰＵ１１１が撮影光学系１０１の手動調節を行う。
【００８６】
コントラストＡＦを実行すると、またはステップＳ７１における判定の結果、ＡＦモードでなかった場合、すなわちＭＦモードであった場合には、次に、測光・露光量演算を行う（Ｓ７５）。ここでは、ステップＳ１３と同様に、撮像素子２２１からの出力に基づいて、被写体輝度を測光し、この測光値に基づいて適正露光となる露出制御値を演算する。
【００８７】
測光・露出演算を行うと、次に、２Ｒスイッチがオンか否かの判定を行う（Ｓ７７）。ここでは、レリーズ釦の全押しがなされ、２Ｒスイッチがオンとなったか否かを判定する。ステップＳ７７における判定の結果、２Ｒスイッチがオンでなかった場合には、次に、１Ｒスイッチがオンか否かの判定を行う（Ｓ７９）。
【００８８】
ステップＳ７９における判定の結果、１Ｒスイッチがオンでなかった場合には、次に、気圧変化フラグが１か０かを判定する（Ｓ８１）。ステップＳ４３において、レリーズ釦の半押しをしなくても、カメラ本体２００に所定の高低差があった場合、または撮影者による息吹きかけがあった場合には、図５の撮影動作を実行するようにしている。この場合、１Ｒスイッチはオフのままであることから、気圧変化フラグが１の場合には、撮影動作を続行すべく、ステップＳ８１における判定を行っている。
【００８９】
ステップＳ８１における判定の結果、気圧変化フラグが０であった場合には、気圧変化フラグがセットされておらず、かつレリーズ釦から撮影者の指等が離れたことから、撮影動作のフローを終了し、元のフローに戻る。
【００９０】
一方、ステップＳ７９における判定の結果、１Ｒスイッチがオンであった場合、または気圧変化フラグが１であった場合には、ステップＳ７７に戻る。撮影者がレリーズ釦の半押し状態を維持している場合には、ステップＳ７７、Ｓ７９を交互に検知する待機状態となり、また気圧変化フラグがセットされている場合には、ステップＳ７７、Ｓ７９、Ｓ８１を順次検知する待機状態となる。
【００９１】
ステップＳ７７における判定の結果、２Ｒスイッチがオンとなると、撮影準備動作から露光動作に移る。まず、絞り込み実行指示を行う（Ｓ８３）。ここでは、レンズＣＰＵ１１１に対して、ステップＳ７５において演算された絞り値を送信すると共に、絞り１０３の絞り込みを指示し、絞り駆動機構１０９によって送信した絞り値まで絞り込み動作を実行させる。続いて、絞り込み完了か否かの判定を行う（Ｓ８５）。絞り込みが完了すると、レンズＣＰＵ１１１から完了信号が送信されてくるので、この信号が送信されるのを待つ。
【００９２】
ステップＳ８５における判定の結果、絞り込みが完了すると、次に、露出動作を行う（Ｓ８７）。この露出動作においては、まず、シャッタ２０３の先幕を走行させると共に、撮像素子２２１の画素信号の電荷蓄積を開始させる。露出演算によって決められたシャッタ秒時または手動設定されたシャッタ秒時が経過すると、シャッタ２０３の後幕を走行させ、撮像素子２２１の電荷蓄積を停止する。
【００９３】
露出動作が終わると、次に、絞り開放の実行を指示する（Ｓ８９）。ここでは、レンズＣＰＵ１１１に対して、絞り１０３の絞り開放を指示し、絞り駆動機構１０９によって開放絞り値まで開放動作を実行させる。続いて、絞り開放完了か否かの判定を行う（Ｓ９１）。絞り開放が完了すると、レンズＣＰＵ１１１から開放完了信号が送信されてくるので、この信号が送信されるのを待つ。
【００９４】
ステップＳ９１における判定の結果、絞り開放が完了すると、次に画像処理を行う（Ｓ９３）。ここでは、撮像素子駆動回路２２３によって読み出された撮像素子２２１の画像信号を、前処理回路２２５、画像処理回路２２７、圧縮伸張回路２３１等によって画像処理を行う。画像処理を行うと、次に、画像記録を行う（Ｓ９５）。ここでは、圧縮処理等がなされた画像データを記録媒体２４５に記録する。
【００９５】
画像記録が終わると、次に、気圧変化フラグを０にリセットする（Ｓ９７）。ステップＳ２１、Ｓ５５において、気圧変化フラグが１にセットされている場合がある。この場合には、撮影終了後、レリーズ釦１１を半押し状態でステップＳ４５の撮影動作に進んでしまうことから、このステップで気圧変化フラグをリセットしている。気圧変化フラグをリセットすると、撮影動作のフローを終了し、元のフローに戻る。
【００９６】
このように本実施形態においては、気圧変化を検出し、カメラ本体２００に所定の高低差が生じた場合には、気圧変化フラグを１にセットし、レリーズ釦の半押し状態と同様の処理を行うようにしている。本実施形態における、気圧変化フラグのセットおよびリセットについて、図６に示す。この図は、図４に示したフローチャートから、気圧変化フラグのセット・リセットに関係するステップを抽出したフローである。
【００９７】
すなわち、本実施形態においては、スリープモード（Ｓ１１）に入る前に、気圧データを記憶する（Ｓ３）と共に、この気圧データを用いてスリープモードから通常の電源供給モードに復帰するための復帰条件を設定している（Ｓ５）。スリープモード中に、復帰条件を満たす所定の高低差でカメラが動くと、電源供給が開始され（Ｓ１３）、気圧データの読み込みを行う（Ｓ１５）。このとき、ステップＳ３におけるスリープ前の気圧とステップＳ１５におけるスリープ後の気圧から、所定の気圧差が有るか否かを判定し（Ｓ１７）、気圧差があれば、気圧変化フラグに１をセットし（Ｓ２１）、気圧差がなければ、気圧変化フラグを０にリセットする（Ｓ１９）。
【００９８】
また、本実施形態においては、ステップＳ５１において、撮影者の息吹きかけを検知し、息吹きかけがあった場合には、ステップＳ５５において気圧変化フラグを１にセットしている。
【００９９】
したがって、本実施形態においては、気圧センサユニット２１５によって、カメラが所定の高低差で動いた場合や、また静止している場合であっても息吹きかけがあった場合には、このことを検知し、ステップＳ４５の撮影動作を実行することができる。
【０１００】
なお、スリープからの復帰条件の設定にあたって、本実施形態においては、所定の高低差と同程度の気圧差を採用していた。しかし、これに限らず、所定の高低差より小さめの気圧差を設定するようにしてもよい。この本発明の第１実施形態の変形例について、図７を用いて説明する。図７は、図４に示すフローチャートの一部を抽出したものである。
【０１０１】
気圧データを記憶すると（Ｓ３）、復帰条件の設定を行う（Ｓ４）。第１実施形態においては、復帰条件としての所定の高低差は、ステップ１７における判定の際の高低差と略同様であり、本実施形態においては、３０ｃｍに対応する高低差としていた。しかし、本変形例においては、気圧センサユニット２１５の分解能程度、もしくは分解能より少し大きい程度の高低差、例えば、１〜１０ｃｍ程度の高低差に相当する気圧差を復帰条件として設定する。
【０１０２】
復帰条件を設定すると、スリープモードに入る（Ｓ１１）。スリープモード中に、ステップＳ４において設定した高低差に対応する気圧差が生ずると、またはパワースイッチ２５７がオンとなると、スリープモードを脱し、電源供給を開始する（Ｓ１３）。本変形例においては、第１実施形態の場合と比較し、僅かな高低差でもスリープモードを脱するので、電源供給開始が多くなる傾向にある。
【０１０３】
電源供給が開始されると、次に、割り込みの原因について判定する（Ｓ１８）。スリープモードを脱するのは、パワースイッチ２５７がオンとなった場合か所定の高低差が生じた場合であり、このステップでは、いずれの理由によって割り込み処理がなされ方を判定する。
【０１０４】
ステップＳ１８における判定の結果、気圧センサユニット２１５から割り込み処理がなされた場合には、気圧変化フラグに１をセットする（Ｓ２１）。一方、パワースイッチ２５７によって割り込み処理がなされた場合には、気圧変化フラグは０にリセットする（Ｓ１９）。
【０１０５】
このように、本変形例においては、カメラの僅かな動きでも一旦スリープモードから脱し、割り込み処理の原因に応じて気圧変化フラグのセット・リセットを行っている。このため、消費電流が少し増えてしまうが、僅かな動きも逃さず、カメラを起動することが可能となる。
【０１０６】
次に、本発明の第２実施形態を図８ないし図１０を用いて説明する。本発明の第１実施形態においては、復帰条件を気圧センサユニット２１５に送信し、気圧センサユニット２１５内に設定していた。これに対して、第２実施形態においては、復帰条件の設定はＡＳＩＣ２６２内の入出力回路２３９において設定し、設定された復帰条件に応じたアナログ電圧を気圧センサユニット２１５に出力するようにしている。
【０１０７】
第２実施形態における概略的な構成は、図１に示した外観図、および図２に示したブロック図と同様である。ただ、図３に示した気圧センサユニット２１５およびこれと接続する周辺回路が相違するので、図８を用いて相違点を中心に説明する。
【０１０８】
気圧センサユニット２１５は、図８に示すように、気圧センサ２１５ｃ、コンパレータ２１５ｄ、コンパレータ２１５ｆ、レベルシフト回路２１５ｅ、および論理積回路２１５ｇを有する。第１実施形態に係わる圧力検知部２１５ａは、気圧センサ以外にも復帰条件を設定し、復帰条件に一致した場合に割り込み信号を出力するための種々の回路を有し、またシリアル通信制御部２１５ｂは、通信回路２４１とシリアル通信を行うための種々の回路を有していた。これに対して、第２実施形態に係わる気圧センサユニット２１５はシンプルな構成となっている。
【０１０９】
気圧センサ２１５ｃは、入出力回路２３９内のＡ／Ｄポート２３９ａに接続されており、大気圧に応じたアナログ信号（気圧信号）を出力する。また、気圧センサ２１５ｃの出力はコンパレータ２１５ｄの反転入力端子にも接続されている。コンパレータ２１５ｄの非反転入力端子は、入出力回路２３９内のＤ／Ａポート２３９ｂの出力が接続されている。後述するようにＣＰＵ２２９によって基準値が演算され、Ｄ／Ａポート２３９ｂは変換された基準値のアナログ信号（基準値信号１）を出力する（図９のＳ６、Ｓ８参照）。
【０１１０】
Ｄ／Ａポート２３９ｄの出力は、レベルシフト回路２１５ｅに接続され、レベルシフト回路２１５ｅは、基準値信号１を所定電圧値だけ低下させた基準値信号２を生成する。レベルシフト回路２１５ｅの出力は、コンパレータ２１５ｆの非反転入力に接続されており、コンパレータ２１５ｆの反転入力は気圧センサ２１５ｃの出力に接続されている。
【０１１１】
コンパレータ２１５ｄは、非反転入力端子に印加されている基準値信号１と、反転入力端子に印加されている気圧信号を比較し、大小関係に応じて、Ｈレベル信号またはＬレベル信号を出力する。一方、コンパレータ２１５ｆは、反転入力端子に印加されている基準値信号２と、非反転入力端子に印加されている気圧信号を比較し、大小関係に応じて、Ｈレベル信号またはＬレベル信号を出力する。
【０１１２】
コンパレータ２１５ｄの出力とコンパレータ２１５ｆの出力は、論理積回路２１５ｇの入力に接続されている。論理積回路２１５ｇは、論理積演算を行い、コンパレータ２１５ｄとコンパレータ２１５ｆのいずれか一方が、Ｌレベル信号を出力すると、Ｌレベル信号を割り込み処理部２５３ｂに出力する。
【０１１３】
このように、気圧センサユニット２１５が構成されているので、コンパレータ２１５ｄの反転入力端子に入力される気圧に応じた気圧信号が、非反転入力端子に入力されている基準値信号１より高くなると、コンパレータ２１５ｄはＨレベルからＬレベルへの反転信号（割り込み信号１）を論理積回路２１５ｇに出力する。一方、コンパレータ２１５ｆの非反転入力端子に印加される気圧に応じた気圧信号が、反転入力端子に印加されている基準値信号２よりも低くなると、コンパレータ２１５ｆはＨレベル信号からＬレベル信号への反転信号（割り込み信号２）を論理積回路２１５ｇに出力する。
【０１１４】
論理積回路２１５ｇは、コンパレータ２１５ｄから出力される割り込み信号１またはコンパレータ２１５ｆから出力される割り込み信号２のうちのいずれか一方がＨレベル信号からＬレベル信号に変化する反転信号（割り込み信号３）が発生すると、この割り込み信号３を割り込み処理部２５３ｂに出力する。このため、カメラにかかる大気圧が、基準値信号１に相当する所定気圧よりも低い気圧を検出した場合、言い換えると、所定高低差だけ高くなると、割り込み信号が出力される。スリープモードに入っている際に、割り込み処理部２５３ｂが論理積回路２１５ｇから割り込み信号３が入力されると、スリープモードを終了し、カメラを起動して、電源供給を開始する。
【０１１５】
次に、本実施形態における動作について、図９に示すフローチャートを用いて説明する。このフローチャートも、ＣＰＵ２２９がフラッシュメモリ２４９に記憶されているプログラムに従って実行する。図９に示すフローは、第１実施形態に係わる図４のフローチャートにおいて、ステップＳ３およびＳ５を、ステップＳ４〜Ｓ８に置き換えただけであるので、この相違点を中心に説明する。
【０１１６】
カメラ本体２００にバッテリが装填され、または外部電源が接続されると、このフローがスタートする。まず、第１実施形態の場合と同様、カメラ本体２００のパワースイッチ２５７がオンであるか否かを判定する（Ｓ１）。判定の結果、パワースイッチ２５７がオフの場合には、気圧データの読み込みを行う（Ｓ４）。ここでは、気圧センサユニット２１５内の気圧センサ２１５ｃからの出力される気圧信号を、Ａ／Ｄポート２３９ａ（図８参照）によってＡＤ変換し、ＣＰＵ２２９がこのＡＤ変換された気圧データを取り込む。
【０１１７】
気圧データの読み込みを行うと、次に、基準値を演算する（Ｓ６）。基準値は、現在のカメラの高さより、所定の高低差分だけ高い位置に対応する気圧差に応じた値とする。所定の高低差としては、第１実施形態と同様、３０ｃｍとするが、１０ｃｍ〜１００ｃｍ程度の範囲内で、カメラが動いたといえる程度であればよい。
【０１１８】
基準値を演算すると、次に、基準値をＤ／Ａポート２３９ｂに出力する（Ｓ８）。ステップＳ６において演算された基準値をＤ／Ａポート２３９ｂに出力すると、Ｄ／Ａポート２３９ｂは、ＤＡ変換し、アナログ信号に変換された基準値信号をコンパレータ２１５ｄの非反転端子に印加する。
【０１１９】
基準値をＤ／Ａポートに出力すると、カメラはスリープモードに入る（Ｓ１３）。これ以降の動作は図４に示した第１実施形態と同様であることから、詳しい説明は省略する。
【０１２０】
次に、気圧センサユニット２１５による、スリープモードから電源供給を開始する起動動作の一例について図１０を用いて説明する。図１０において、横軸方向は時間の流れを示し、ｔ１〜ｔ８は時刻を、また逆三角形の印はパワーオフのタイミングを示す。この時間軸に沿って、基準値信号、気圧信号、および割り込み信号の変化を示す。
【０１２１】
時刻ｔ１において、パワースイッチ２５７をオフとし、パワーオフ状態となる。このパワーオフ状態では、スリープモードとなるが（図９のＳ１１参照）、その際、大気圧に応じて、現在の高さより所定高低差分、高い位置の気圧に応じた基準値信号１と基準値信号２が設定される（Ｓ４〜Ｓ８参照）。その後、カメラを持ち上げる等により大気圧が下降し、時刻ｔ２において、基準値信号１を超えると、コンパレータ２１５ｄから割り込み信号１が出力される。
【０１２２】
時刻ｔ２において割り込み信号１が出力されると、論理積回路２１５ｇから割り込み信号３が出力され、割り込み信号処理部２５３ｂが割り込み処理を実行し、スリープモードを脱し、電源供給の開始を行う（Ｓ１３参照）。その後、低い場所に移動し、大気圧が上昇し気圧信号が低下し始め、時刻ｔ３においてコンパレータ２１５ｄの出力はＬレベルからＨレベルに変化するが、このときは割り込み信号が発生しないので、カメラは電源供給されたままである。したがって、時刻ｔ２以降、レリーズ釦が全押し操作されれば、直ちに、撮影が可能である。
【０１２３】
時刻ｔ４において、撮影者がカメラのパワースイッチ２５７をオフにすると、カメラの電源供給が停止され、スリープモードに入る、また、時刻ｔ１のときと同様、大気圧に応じた基準値信号１および基準値信号２が設定される（Ｓ４〜Ｓ８参照）。時刻ｔ３以降、低い位置に移動し大気圧が大幅に上昇することから、気圧信号は低下し、それに応じて設定する基準値信号１および基準値信号２も低下する。その後、カメラの位置が移動し、時刻ｔ５において、気圧信号が基準値信号１を超えると、割り込み信号１が出力され、再び、電源供給が開始される（Ｓ１３参照）。
【０１２４】
時刻ｔ６になると、カメラが高い場所に動くが、基準値信号１を上回っているので、割り込み信号１は発生しない。時刻ｔ５以降、電源供給されたままであるので、レリーズ釦が全押し操作されれば、直ちに、撮影が可能である。
【０１２５】
時刻ｔ７において、撮影者がカメラのパワースイッチ２５７をオフにすると、カメラの電源供給が停止され、スリープモードに入る、また、時刻ｔ１のときと同様、大気圧に応じた基準値信号１および基準値信号２が設定される（Ｓ４〜Ｓ８参照）。パワーオフ時（時刻ｔ７）には、高い位置に移動し、大気圧が上昇していることから、基準値信号１および基準値信号２も上昇する。その後、カメラの位置が移動し、時刻ｔ８において、気圧信号が基準値信号１を超えると、割り込み信号１が出力され、再び、電源供給が開始される（Ｓ１３参照）。
【０１２６】
パワーオフ時(時刻ｔ９)には、カメラは高い位置に移動した状態であり、基準値信号１および基準値信号２を設定する。その後、カメラの気圧センサユニット２１５に息が吹きかけられ、気圧センサ２１５ｃの気圧信号が基準値信号２より低下すると、割り込み信号２が出力され、再び、電源供給が開始される。
【０１２７】
このように、本実施形態においては、気圧センサ２１５ｃから出力されるアナログの気圧信号と、Ｄ／Ａポート２３９ｂから出力されるアナログの基準値信号を、コンパレータ２１５ｄにおいて比較し、カメラが所定の高低差に対応する動きを行った場合に、割り込み信号を出力し、カメラの電供供給を開始し、起動するようにしている。このため、気圧センサユニット２１５の構成を簡単にしながら、カメラが動いた際に、カメラを起動することができる。
【０１２８】
なお、本実施形態においては、コンパレータ２１５ｄによって、基準値信号に対応する所定高低差よりも高くなると、割り込み信号を出力していた。しかし、コンパレータを２つ設け、所定高低差分、高くなる場合と、所定高低差分、低くなる場合の両方の場合について、割り込み信号を出力するようにしても構わない。
【０１２９】
次に、本発明の第１、第２実施形態における開口部２１〜２４の変形例を、図１１を用いて説明する。本変形例においては、パワースイッチ２５７は、十字釦１３、決定釦１５の近傍に配置されている。また、液晶モニタ２６は、第１、第２実施形態においては、カメラ本体２００の背面に固定されていたが、本変形例においては、液晶モニタ２６は可動式である。
【０１３０】
液晶モニタ２６は、ヒンジ２６ｂによって、カメラ本体２００の縦軸回りに回動可能である。さらに、図１１の状態において、背面液晶モニタ２６の長手方向の軸に沿ってもヒンジ２６ｂによって回動可能である。図１１に示す状態では、背面液晶モニタ２６のモニタ面は交換レンズ１００側を向いており、背面液晶モニタ２６の背面側は、保護面２６ａが向いている。
【０１３１】
保護面２６ａの左上に開口部３１が配置されており、開口部３１の奥には、気圧センサユニット２１５が設けられている。背面液晶モニタ２６がカメラ本体２００に収納され、保護面２６ａがモニタ対向面２００ａに接するようになった際に、開口部３１はパワースイッチ２５７に近くなる。このため、背面液晶モニタ２６がカメラ本体２００に収納された状態では、パワースイッチ２５７の近傍に向かって息を吹きかけると、第１実施形態と同様、カメラを起動させることができる。また、背面液晶モニタ２６を回動させた状態でも、開口部３１に息を吹きかけることにより、カメラを起動させることもできる。
【０１３２】
以上説明したように、本発明の第１、第２実施形態やその変形例においては、カメラにかかる大気圧を検出し、予め定められた以上の気圧変化が生じた場合に割り込み信号を出力する気圧センサユニット２１５を有し、低消費電流モード中に、気圧センサユニットから割り込み信号が出力された場合に、カメラを動作状態にしている。このため、カメラを構える姿勢にならなくても、カメラが動いている場合には起動することが可能となる。
【０１３３】
また、本発明の第１、第２実施形態やその変形例においては、気圧センサユニットによって割り込み信号を出力しているので、カメラを動かさない場合であっても、カメラに息を吹きかける、または息を吸い込むだけで、カメラを起動させることができる（Ｓ５１参照）。
【０１３４】
なお、本発明の第１実施形態における復帰条件や第２実施形態における基準値等は、所定の高低差に対応する気圧差に応じて決めていた。この所定の高低差は、予め設計値として工場出荷段階でプログラム中に書き込まれていた。しかし、これに限らず、ユーザが適宜、書き直してもよく、また、学習機能を持たせて、カメラが自動的に書き直すようにしてもよい。また、所定の高低差に対応する気圧差ではなく、一律の気圧差としてもよい。この場合も、ユーザが適宜、書き直してもよく、また、学習機能を持たせて、カメラが自動的に書き直すようにしてもよい。
【０１３５】
また、本発明の第１、第２実施形態やその変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１３６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３７】
１１・・・レリーズ釦、１３・・・十字釦、１５・・・決定釦、２１〜２４・・・開口部、２６・・・背面液晶モニタ、２６ａ・・・保護面、２６ｂ・・・ヒンジ、２９・・・ファインダ内液晶モニタ、３１・・・開口部、１００・・・交換レンズ、１０１・・・撮影光学系、１０１ａ・・・撮影レンズ、１０１ｂ・・・撮影レンズ、１０３・・・絞り、１０５・・・光学位置検出機構、１０７・・・光学系駆動機構、１０９・・・絞り駆動機構、１１０・・・エンコーダ、１１１・・・レンズＣＰＵ、１１２・・・距離環、２００・・・カメラ本体、２００ａ・・・モニタ対向面、２０３・・・シャッタ、２０５・・・防塵フィルタ、２０７・・・圧電素子、２０９・・・赤外カットフィルタ、２１０・・・光学的ローパスフィルタ、２１１・・・防塵フィルタ駆動回路、２１３・・・シャッタ駆動機構、２１５・・・気圧センサユニット、２１５ａ・・・圧力検知部、２１５ｂ・・・シリアル通信部、２１５ｃ・・・気圧センサ、２１５ｄ・・・コンパレータ、２２１・・・撮像素子、２２３・・・撮像素子駆動回路、２２５・・・前処理回路、２２６・・・コントラストＡＦ回路、２２７・・・画像処理回路、２２９・・・ボディＣＰＵ、２３１・・・圧縮伸張回路、２３３・・・ビデオ信号出力回路、２３５・・・液晶モニタ駆動回路、２３７・・・ＳＤＲＡＭ制御回路、２３８・・・ＳＤＲＡＭ、２３９・・・入出力回路、２３９ａ・・・Ａ／Ｄポート、２３９ｂ・・・Ｄ／Ａポート、２４１・・・通信回路、２４１ａ・・・シリアル通信制御部、２４３・・・記録媒体制御回路、２４５・・・記録媒体、２４７・・・フラッシュメモリ制御回路、２４９・・・フラッシュメモリ、２５３・・・スイッチ検知回路、２５３ａ・・・起動監視部、２５３ｂ・・・割り込み処理部、２５５・・・その他のスイッチ、２５７・・・パワースイッチ、２５９・・・着脱検知スイッチ、２６０・・・ブレ補正駆動機構、２９６・・・アクチュエータ駆動回路、２９７・・・ブレ検出手段、２９７ａ・・・角速度センサ、２９７ｂ・・・角速度検出回路、２９０・・・撮像素子ユニット、３００・・・通信接点
【図１】
2015228682.tif 000003
【図１１】
2015228682.tif 000004
【図２】
2015228682.tif 000005
【図３】
2015228682.tif 000006
【図４】
2015228682.tif 000007
【図５】
2015228682.tif 000008
【図６】
2015228682.tif 000009
【図７】
2015228682.tif 000010
【図８】
2015228682.tif 000011
【図９】
2015228682.tif 000012
【図１０】
2015228682.tif 000013